(57)【要約】【課題】製造中の品質コントロールを最適化するために、印刷製品の三次元のデジタルバージョンを作成することを可能にする方法を提供すること。【解決手段】操作卓で印刷製品の品質をコントロールするための方法であって、カメラ装置が印刷製品の画像情報を検出し、検出されたデータを計算器内で、印刷画像のデジタル画像データと比較し、印刷製品のデジタルバージョンを、操作卓に割り当てられたモニターに表示し、印刷製品を少なくとも１つの照明源によって照明する方法において、印刷製品を少なくとも１つのセンサによって検出し、ここで計算器は、照明源および／または人物の視角に相対する印刷製品の状況を計算し、モニター上に表示された、印刷製品のデジタルバージョンを、モニター上の実際の印刷製品の状況に相応して表示する、ことを特徴とする、品質コントロールのための方法。【選択図】図１
2015138558.tif 000002
【特許請求の範囲】
【請求項１】
操作卓（１）で印刷製品（４）の品質をコントロールするための方法であって、
カメラ装置（２）が前記印刷製品（４）の画像情報を検出し、
当該検出されたデータを計算器（５）内で、印刷画像（９）のデジタル画像データと比較し、
前記印刷製品のデジタルバージョン（４ａ）を、前記操作卓（１）に割り当てられたモニター（６）に表示し、
前記印刷製品（４）を少なくとも１つの照明源（７）によって照明する方法において、
前記印刷製品（４）を少なくとも１つのセンサ（３）によって検出し、前記計算器（５）は、前記照明源（７）および／または人物の視角に相対する前記印刷製品（４）の状況を計算し、
前記モニター（６）上に表示された、前記印刷製品のデジタルバージョン（４ａ）を、前記モニター（６）上の実際の前記印刷製品（４）の前記状況に相応して表示する、
ことを特徴とする、品質コントロールのための方法。
【請求項２】
前記少なくとも１つのセンサ（３）は、前記印刷製品（４）に関する、人物のポジションと前記視角とを検出し、
前記モニター（６）上に表示される、前記印刷製品のデジタルバージョン（４ａ）を、前記実際の印刷製品（４）上の、前記人物のポジションと視角とに依存して、三次元に、前記モニター（６）上に表示する、請求項１記載の方法。
【請求項３】
前記印刷製品のデジタルバージョン（４ａ）を表示する前記モニター（６）は３次元ディスプレイであり、当該３次元ディスプレイ上に、前記デジタル化された印刷製品（４ａ）を三次元に表示することができる、および／または、前記印刷製品（４）の３次元エフェクトをデジタルバージョン（４ａ）において表示することができる、請求項１または２記載の方法。
【請求項４】
前記操作卓（１）は、付加的なタッチディスプレイ（１０）を含んでおり、当該タッチディスプレイ上に、前記デジタル化された印刷製品（４ａ）を表示し、
当該タッチディスプレイ（１０）上で、前記デジタル化された印刷製品（４ａ）の前記表示オプションを変更するコマンド、例えばズーミング、をトリガすることができる、請求項１から３までのいずれか１項記載の方法。
【請求項５】
前記操作卓（１）は、ジェスチャーコントロールのための装置（１１）を含んでいる、請求項１から４までのいずれか１項記載の方法。
【発明の詳細な説明】
【技術分野】
【０００１】
本発明は、請求項１の特徴部分に記載された構成を有する、印刷製品の品質をコントロールするための方法を含む。
【背景技術】
【０００２】
ＤＥ１０２００７０２０５１１Ａ１号には、操作卓の形態の、印刷機用の操作装置が開示されている。ここでは、印刷製品が、操作卓の書見台上に置かれ、カメラ装置によって撮影される。このようにして得られた画像データは、計算器内で、この印刷画像のデジタル画像データと比較される。画像の求められたパラメータに依存して、操作過程または測定過程がトリガされる。この際に、被印刷物を覆っている対象物また人物が識別され得る。またこれに依存して同様に、特定の操作過程または測定過程の起動が行われる。
【０００３】
印刷所では実際には、印刷画像を、オンラインで、ワークフローシステムの供給部に伝送することが公知である。このワークフローシステムは、これらの画像ファイルから、仮想の三次元印刷製品を作成し、これを再び、印刷所にオンラインで、ダウンロードのために提供する。
【先行技術文献】
【特許文献】
【０００４】
【特許文献１】ドイツ連邦共和国１０２００７０２０５１１公報
【発明の概要】
【発明が解決しようとする課題】
【０００５】
本発明の課題は、製造中の品質コントロールを最適化するために、印刷製品の三次元のデジタルバージョンを作成することを可能にする方法を提供することである。本発明の別の課題は、品質コントロールを、色情報のコントロールの他に、光沢エフェクト（Glanzeffekte）または構造エフェクト（Struktureffekte）等の別のパラメータまで拡張することである。
【課題を解決するための手段】
【０００６】
上述の課題は、操作卓で印刷製品の品質をコントロールするための方法であって、カメラ装置が前記印刷製品の画像情報を検出し、当該検出されたデータを計算器内で、印刷画像のデジタル画像データと比較し、前記印刷製品のデジタルバージョンを、前記操作卓に割り当てられたモニターに表示し、前記印刷製品を少なくとも１つの照明源によって照明する方法において、前記印刷製品を少なくとも１つのセンサによって検出し、前記計算器は、前記照明源および／または人物の視角に相対する前記印刷製品の状況を計算し、前記モニター上に表示された、前記印刷製品のデジタルバージョンを、前記モニター上の実際の前記印刷製品の前記状況に相応して表示する、ことを特徴とする、品質をコントロールするための方法によって解決される。
【図面の簡単な説明】
【０００７】
【図１】本発明の方法の実行に適した、被印刷物を伴う、印刷機の操作卓
【図１ａ】状況が異なっている、同じ被印刷物を伴う操作卓
【発明を実施するための形態】
【０００８】
本発明の有利な発展形態は、従属請求項、後続の説明および図面に示されている。
【０００９】
本発明の品質コントロール方法は、殊に、枚葉オフセット印刷機での使用に適している。ここでは規則的にサンプル枚葉紙が取り出され、検査されなければならない。これは、印刷された枚葉紙と版下との相違を突き止め、場合によっては、相応の修正措置を取ることを可能にするために行われる。さらに、印刷製品は、操作卓で、カメラ装置によって撮影される。この検出されたデータは、計算器内で、この印刷画像のデジタル画像データと比較される。ここで、この印刷製品のデジタルバージョンが、操作卓に割り当てられたモニター上に表示される。ここで、この印刷製品は、少なくとも１つの照明源によって照らされる。さらに、この印刷製品は、少なくとも１つのセンサによって検出される。ここで計算器は、照明源と相対する、印刷製品の状況を計算する。実際の印刷製品の状況が変化すると、モニター上に三次元で表示されるデジタル化された印刷製品の状況も変化する。このようにして、平面図だけでは、仮想印刷製品上に再現可能ではないエフェクトも表示される。これは例えば、９０°とは異なる視角でのみ見える、被印刷物上の光の反射または構造エフェクトである。
【００１０】
本発明の第１の有利な発展形態では、少なくとも１つのセンサは、操作者のポジションと被印刷物上での操作者の視角を検出する。ここで、モニター上のデジタル化された印刷製品の表示は、実際の印刷製品に対する操作者の視角に応じて変化する。
【００１１】
別の発展形態では、デジタル化された印刷製品を表示するためのモニターは３次元ディスプレイであり、これによって、殊に構造エフェクトが、立体的にかつ目に見えるように、仮想の印刷製品上により良好に表示され、操作者によって認知可能になる。
【００１２】
付加的なタッチディスプレイを取り付けることは、さらに有利である。このタッチディスプレイも、デジタル化された印刷製品を表示するために用いられる。さらに、タッチディスプレイを用いて、表示変更コマンドが実行に移される。従って、例えば、タッチディスプレイを所期のようになでることによって、デジタル化された印刷製品の一部を拡大すること、および、シフトさせることができる。これによって、デジタル化された印刷製品の個々の領域をより詳細に観察することができる。
【００１３】
この方法の特に有利な実施形態は、ジェスチャーコントロール（Gestensteuerung）の付加的な使用である。この方法とジェスチャーコントロールとを組み合わせることによって、操作者は品質コントロールを、極めて直感的かつ快適に行うことができる。従って、操作者は例えば、パターニングされた表面を有する印刷製品を、片方の手で、照明源に対して斜めに持つことができる。これによって、このパターニングを、印刷製品上でも、モニター上でも良好に識別することが可能になる。さらに操作者は、他方の手で、所期のように動かすことによって、ズーム機能をトリガすることができる。これによって、より正確な観察を行うことが可能になる。本発明を以降で、２つの図面に基づいてより詳細に説明する。
【実施例】
【００１４】
図１には、書見台８を有する操作卓１が示されている。この書見台８上には、枚葉紙４の形態の、コントロールされるべき印刷製品が置かれている。印刷製品４は、照明源７によって照明される。カメラ装置２は、印刷製品４上の印刷画像９の画像情報を検出し、検出された画像情報を、操作卓１内の計算器５に伝達する。センサ装置３は、印刷製品４の状況、並びに、印刷製品４を観察する、図示されていない人物の視角を検出し、検出された情報を同様に計算器５に伝達する。この計算器は、照明源７および人物の視角に対する印刷製品４の相対的な状況を計算する。視角を検出するために、例えば、この人物の眼が検出される。
【００１５】
モニター６上には、印刷製品のデジタルバージョン４ａが示される。実際の印刷製品４の状況が変化すると、または、印刷製品４に対する、人物の視角が変化すると、モニター６上のデジタル化された印刷製品４ａの状況が相応に変化する。オプションであるタッチディスプレイ１０は、デジタル化された印刷製品４ａのこれらの表示オプションの変更コマンドを供する。センサストリップの形態のジェスチャーコントロール部１１は、操作者のジェスチャーの形態の制御コマンドを識別し、これをモニター６上で実行に移す。
【００１６】
図１ａでは、図１に示された操作卓１と説明した印刷製品４とが示されている。しかし印刷製品４の状況は変わっている。これは、印刷製品が時計の針の回転方向と反対方向に回され、かつ、右下の角が折り返されることによって行われた。印刷製品４の空間的な状況の２つの変化は、モニター６上で、デジタル化された印刷製品４ａにおいて、相応に観察される。
【符号の説明】
【００１７】
１  操作卓、  ２  カメラ装置、  ３  センサ装置、  ４  印刷製品、  ４  デジタル化された印刷製品、  ５  計算器、  ６  モニター、  ７  照明源、  ８  書見台、  ９  印刷画像、  １０  タッチディスプレイ、  １１  ジェスチャーコントロールのための装置
【図１】
2015138558.tif 000003
【図１ａ】
2015138558.tif 000004